(57)【要約】【課題】コードの一部又は全てを放送電波を受信するアンテナ線として良好に機能させると共に、使用者に違和感無く装着可能なイヤホンアンテナを提供する。【解決手段】  チューナを備えた音響出力機器３に接続され、この音響出力機器３から出力される音響信号に応じてスピーカ部５より音響を発すると共に、放送電波を受信し、得られた高周波信号を音響出力機器３へ伝達するイヤホンアンテナであって、一方の端部にイヤホンプラグ４を、他方の端部にスピーカ５を備えるイヤホン２と、一方の端部にイヤホンプラグ４に嵌合するジャック部８を、他方の端部に音響出力機器３と接続可能なコネクタ部９を備える中継コード１と、を有し、イヤホン２と中継コード１と音響出力機器３とを接続すると共に、ジャック部８に給電点を設け、イヤホンコード６のグラウンド信号線をアンテナとして機能させて放送電波を受信する。【選択図】        図１
2006222892.tif 000002
【特許請求の範囲】
【請求項１】
チューナを備えた音響出力機器に接続され、この音響出力機器から出力される音響信号に応じてスピーカ部より音響を発すると共に、放送電波を受信し、得られた高周波信号を前記音響出力機器へ伝達するイヤホンアンテナであって、
イヤホンコードの一方の端部にイヤホンプラグを、他方の端部にスピーカを備えるイヤホンと、
一方の端部に前記イヤホンプラグに嵌合するジャック部を、他方の端部に前記音響出力機器と接続可能なコネクタ部を備える中継コードと、を有し、
前記イヤホンと前記中継コードと前記音響出力機器とを接続すると共に、
前記ジャック部に給電点を設け、前記イヤホンコードのグラウンド信号線をアンテナとして機能させて前記放送電波を受信するイヤホンアンテナ。
【請求項２】
前記中継コードのグラウンド信号線を同軸ケーブルで構成し、
前記ジャック部において、前記同軸ケーブルの芯線とシールド線とを、前記音響信号の周波数帯域で低インピーダンスとなり、前記高周波信号の周波数帯域で高インピーダンスとなるバイアス回路を介して接続すると共に、
音響信号線に高周波除去フィルタを備える請求項１に記載のイヤホンアンテナ。
【請求項３】
チューナを備えた音響出力機器に接続され、この音響出力機器から出力される音響信号に応じてスピーカ部より音響を発すると共に、放送電波を受信し、得られた高周波信号を前記音響出力機器へ伝達するイヤホンアンテナであって、
イヤホンコードの一方の端部にイヤホンプラグを、他方の端部にスピーカを備えるイヤホンと、
一方の端部に前記イヤホンプラグに嵌合するジャック部を、他方の端部に前記音響出力機器と接続可能なコネクタ部を備える中継コードと、を有し、
前記イヤホンと前記中継コードと前記音響出力機器とを接続すると共に、
前記コネクタ部に給電分岐回路を設け、前記スピーカ部から前記コネクタ部へ連続した各信号線をアンテナとして機能させて前記放送電波を受信するイヤホンアンテナ。
【請求項４】
前記コネクタ部において、前記コネクタ部のグラウンドと前記中継コードのグラウンド信号線とを、前記音響信号の周波数帯域で低インピーダンスとなり、前記高周波信号の周波数帯域で高インピーダンスとなるバイアス回路を介して接続し、
前記給電分岐回路を、前記中継コードの各信号線から高周波信号を分岐する直列共振の帯域フィルタで構成する請求項３に記載のイヤホンアンテナ。
【発明の詳細な説明】
【技術分野】
【０００１】
本発明は、一方の端部にコネクタ部を、他方の端部にスピーカを備え、両端部を接続するコードの一部又は全てをテレビやラジオ等の電波信号を受信するアンテナ線として機能させるイヤホンアンテナに関する。
【背景技術】
【０００２】
一般的に、イヤホンやヘッドホンなどは、電話機や無線機といった通信機器や、音響機器などに接続され、例えば、外部に音を出すことができないような場所や、騒音下などの環境において、音声や音楽等の音響信号を聞くために使用されている。また、ポータブル音響機器などを身に付け、移動を伴いながら音楽を聞くために使用される場合もある。これらの機器にテレビやラジオなどの機能が備わっている場合には、放送される電波信号を受信するアンテナが必要となる。このアンテナは機器に備えられる場合もあるが、特に携帯電話機やポータブル音響機器においては、このアンテナによって機器の小型化が損なわれたり、必要な感度を得られないなどの問題がある。
【０００３】
そこで、常時機器の外部に延出して電波を受信し易いところにアンテナを設けることが好ましい。例えば、ヘッドホンにアンテナを設けたアンテナ内蔵型ヘッドホンの技術が下記示す特許文献１に示されている。このアンテナ内蔵型ヘッドホンは、無線信号（電波信号）の受信に使用される長さが異なる複数本のアンテナを、左右の音響ユニットを結ぶバンド部に内蔵して、幅広い周波数の電波を安定して受信できるようにしたものである。
【０００４】
また、下記に示す特許文献２には、ヘッドホンコードをアンテナとしてＦＭ電波を受信するものが示されている。これによると、ヘッドホンコードのプラグとヘッドホンとの間に位置するリモコン操作部と、プラグとの間のコード部分を受信したいＦＭ周波数の約１／４波長の長さとする。リモコン操作部には、リモコン操作部とプラグとの間のコード部分をヘッドホン（音響ユニット）側から高周波的に分離する高周波チョークコイルを設けている。このようにして、リモコン操作部からプラグへのコード部分が、ＦＭ放送の受信用アンテナとして適切に作用するようにしている。
【０００５】
【特許文献１】特開２００３−２７４４７７号公報（第２〜１２段落、第１図）
【特許文献２】特開平９−３３１２０９号公報（第９〜１５段落、第１図）
【発明の開示】
【発明が解決しようとする課題】
【０００６】
上記、特許文献１及び２に記載された技術は、一体化されたヘッドホンやイヤホンをアンテナとして良好に機能させるものとしては優れた方法である。しかし、特にインナーイヤータイプ（耳の中にイヤホンを挿入するタイプのもの）のイヤホンでは、しばしば、それが使用者の耳に合わない場合がある。その場合でも、アンテナとしての機能を必要とする場合には、使用者は我慢して使い続けなければならない。通信機器や音響機器等において、このような場合に快適な使用感を得られないことは好ましいことではない。
【０００７】
本願発明は、このような課題に鑑みてなされたもので、コードの一部又は全てをテレビやラジオ等の放送電波を受信するアンテナ線として良好に機能させると共に、装着する使用者に違和感無く装着可能なイヤホンアンテナを提供することを目的とする。
【課題を解決するための手段】
【０００８】
この目的を達成するための本発明に係るイヤホンアンテナの特徴構成は、
チューナを備えた音響出力機器に接続され、この音響出力機器から出力される音響信号に応じてスピーカ部より音響を発すると共に、放送電波を受信し、得られた高周波信号を前記音響出力機器へ伝達するものであって、
イヤホンコードの一方の端部にイヤホンプラグを、他方の端部にスピーカを備えるイヤホンと、
一方の端部に前記イヤホンプラグに嵌合するジャック部を、他方の端部に前記音響出力機器と接続可能なコネクタ部を備える中継コードと、を有し、
前記イヤホンと前記中継コードと前記音響出力機器とを接続すると共に、
前記ジャック部に給電点を設け、前記イヤホンコードのグラウンド信号線をアンテナとして機能させて前記放送電波を受信する点にある。
【０００９】
この特徴構成によれば、給電点を中継コードのジャックに設けているので、このジャックの先に接続されるイヤホンを任意に取り替えることができる。そして、通常のイヤホンにはグラウンド信号線が備えられているので、これをアンテナとして機能させることにより、放送電波を受信することができる。受信した放送電波は中継コードのジャックに設けられた給電点で音響信号と放送信号とに分岐されて良好にチューナを備えた音響出力機器へ入力される。このように、本特徴構成によって、放送電波を受信するアンテナ線として良好に機能すると共に、装着する使用者に違和感無く装着可能なイヤホンアンテナを提供することができる。
【００１０】
また、前記中継コードのグラウンド信号線を同軸ケーブルで構成し、前記ジャック部において、前記同軸ケーブルの芯線とシールド線とを、前記音響信号の周波数帯域で低インピーダンスとなり、前記高周波信号の周波数帯域で高インピーダンスとなるバイアス回路を介して接続すると共に、音響信号線に高周波除去フィルタを備えると好適である。
【００１１】
このように接続することにより、芯線を介して前記高周波信号を伝達し、シールド線を介してグラウンド電位を定める。イヤホンのグラウンド信号線を用いて放送電波を受信した場合にこれを良好に給電分岐することができる。また、ジャック部に高周波除去フィルタを備えることにより、中継コードの音響信号線に放送電波の高周波信号成分が重畳されることを除去することができる。従って、受信した放送電波の減衰を軽減すると共に、音響信号へのノイズを除去することができる。
【００１２】
また、上記目的を達成するための本発明に係るイヤホンアンテナの別の特徴構成は、
チューナを備えた音響出力機器に接続され、この音響出力機器から出力される音響信号に応じてスピーカ部より音響を発すると共に、放送電波を受信し、得られた高周波信号を前記音響出力機器へ伝達するものであって、
イヤホンコードの一方の端部にイヤホンプラグを、他方の端部にスピーカを備えるイヤホンと、
一方の端部に前記イヤホンプラグに嵌合するジャック部を、他方の端部に前記音響出力機器と接続可能なコネクタ部を備える中継コードと、を有し、
前記イヤホンと前記中継コードと前記音響出力機器とを接続すると共に、
前記コネクタ部に給電分岐回路を設け、前記スピーカ部から前記コネクタ部へ連続した各信号線をアンテナとして機能させて前記放送電波を受信する点にある。
【００１３】
この特徴構成によれば、給電点を中継コードのコネクタ部に設けているので、ジャックの先に接続されるイヤホンを任意に取り替えることができる。給電点をコネクタ部に設けているので、中継コードとイヤホンとが接続された一連のコード部分をアンテナとして機能させることができる。その結果、アンテナ線を長く採ることができるので、低い周波数帯域の放送電波も良好に受信できるようなイヤホンアンテナを構成できる。放送電波の周波数帯域は、国や地域によって異なるが、上記のようにイヤホンアンテナを構成することにより、このような国や地域でもイヤホンアンテナとして良好に機能させることが可能となる。受信した放送電波は中継コードのコネクタ部に設けられた給電点で音響信号と放送信号とに分岐されて良好にチューナを備えた音響出力機器へ入力される。このように、本特徴構成よって、放送電波を受信するアンテナ線として良好に機能すると共に、装着する使用者に違和感無く装着可能なイヤホンアンテナを提供することができる。
【００１４】
また、前記コネクタ部において、前記コネクタ部のグラウンドと前記中継コードのグラウンド信号線とを、前記音響信号の周波数帯域で低インピーダンスとなり、前記高周波信号の周波数帯域で高インピーダンスとなるバイアス回路を介して接続し、前記給電分岐回路を、前記中継コードの各信号線から高周波信号を分岐する直列共振の帯域フィルタで構成すると好ましい。
【００１５】
バイアス回路によって、音響信号の周波数帯域である低周波数帯域でグラウンド信号線にグラウンドバイアスを与えることができる。放送電波の高周波数帯域では、このバイアス回路が高インピーダンス回路となるので、受信した放送電波がグラウンドへと漏れて減衰することを軽減することができる。また、各信号線からは直列共振の帯域フィルタによって良好に放送電波の高周波信号が分岐される。
【発明を実施するための最良の形態】
【００１６】
以下、本発明の実施形態を図面に基づいて説明する。
図１は、本発明の実施形態に係るイヤホンアンテナを利用した携帯電話システムの一例を示す概略構成図である。携帯電話３（音響出力機器）は、テレビやラジオ等の放送電波の受信機能（チューナ機能）を搭載したものである。そして、このような放送電波の受信に際しては、携帯電話３に取り付けるイヤホンのコードをアンテナとして利用する。本実施形態においては、図１に示すようにイヤホンコード６の一方の端部にイヤホンプラグ４を、他方の端部にスピーカ５を備えるイヤホン２と、一方の端部にイヤホンプラグ４に嵌合するジャック部８を、他方の端部に携帯電話３のイヤホンジャック７と接続可能なコネクタ部９を備える中継コード１とを連結して、一連のイヤホンのコードを形成し、これをアンテナとして作用させる。尚、本実施形態では、スピーカ５としてインナーホンを用いているが、勿論、ヘッドホン等他の形態のスピーカであってもよい。
【００１７】
携帯電話とイヤホンとの接続形態には、図１に示すように円柱形のプラグ（符号４、９に相当）を用いるものもあるが、円柱形のプラグと方形の別コネクタとを一体化し、音響信号を円柱形のプラグで伝達し、制御信号や電源等を方形のコネクタ部で伝達するようにしているものもある。このような接続形態を有する場合、符号４に相当するプラグ（イヤホンプラグ４）は円柱形とし、符号９に相当する中継コード１のプラグ（コネクタ部９）を方形の別コネクタとの一体型としてもよい。このようにすると、携帯電話３のジャック部（イヤホンジャック７）の形態に合わせたコネクタ部９を備える中継コード１を用意すれば、中継コード１のジャック部８から先のイヤホン２を任意に選択することができる。上記では、円柱形のプラグと方形の別コネクタとを一体化した場合について述べたが、この形態に限定されることはない。中継コード１と携帯電話３との接続形態を一致させることにより、種々のイヤホン２の使用が可能となることは言うまでもない。
【００１８】
上述したようにイヤホン２は、汎用の標準インナーホンである。一例として、イヤホンプラグ４は直径３．５ｍｍの３極プラグである。このイヤホンプラグ４の形状は、ストレートでもアングル（Ｌ型）の何れでもよいが、中継コード１との一連性を考慮すると、ストレートタイプを用いるのが好適である。二股に分かれる前のコード部分は、約５０〜７０ｃｍである。二股に分かれた左右の音響信号を伝達するコード部分は約３０〜７０ｃｍである。よく見られる形態として、この二股部分は左右のスピーカ５への長さが異なる場合がある。
【００１９】
中継コード１は、一方の端部に上記イヤホンプラグ４に嵌合する直径３．５ｍｍのジャック部８を有している。他方の端部には携帯電話３のイヤホンジャック７と接続可能な直径２．５ｍｍの５極プラグによるコネクタ部９を有している。コネクタ部９の形状は、ストレート、アングル（Ｌ型）の何れでもよい。携帯電話３を頭部よりも下方に収納・携帯することを考慮すると、アングルタイプが好適である（図の可視性を考え、図１はストレートの場合を示す。）。また、中継コード１は、約５０〜７０ｃｍの長さを有している。
【００２０】
また、スピーカ５を備えるイヤホン２のイヤホンプラグ４が直径３．５ｍｍであり、携帯電話３のイヤホンジャック７が直径２．５ｍｍであるので、両者は直接には接続できない。しかし、中継コード１を介することにより、両者を良好に接続することができる。携帯電話３のイヤホンジャック７に接続可能なイヤホンのみしか選択できない場合には、選択枝が限られてしまう。しかし、中継コード１を介することにより、より汎用的なイヤホンを利用することが可能となる。
【００２１】
〔第一実施形態〕
図２は、図１の中継コード１を利用した携帯電話３とイヤホン２との電気的接続を説明する配線図である。本実施形態において、音響信号は、左右夫々の音響信号とグラウンドとの電位差によって信号強度を表す不平衡方式で伝達される。図中の信号線に示すＬ、Ｒ、Ｇの符号は、夫々、左音響信号Ｌ、右音響信号Ｒ、グラウンドＧを示すものである。また、符号Ａは後述する放送電波を受信した高周波信号（アンテナ信号Ａ）である。
【００２２】
図２に示すように、イヤホン２の３極のイヤホンプラグ４の先端側の第一端子４ｃには左音響信号Ｌが接続されている。第一端子４ｃと絶縁リングを隔てて隣接する第二端子４ｂには右音響信号Ｒが接続されている。第二端子４ｂと絶縁リングを隔てて隣接する第三端子４ａには両音響信号に共通するグラウンドＧが接続されている。
【００２３】
イヤホン２の３極のイヤホンプラグ４は、中継コード１の３極の接触子を備えたジャック部８に嵌合され、上記左右の音響信号Ｌ及びＲと、グラウンドＧとを接続する。図２に示すように、イヤホンプラグ４の第一端子４ｃは開口したジャック部８の最も奥に配置された第一接触子８ｃに接続される。第二端子４ｂは第一接触子８ｃよりも開口部側に配置された第二接触子８ｂに接続される。第三端子４ａは、最も開口部側に配置された第三接触子８ａに接続される。
【００２４】
第一接触子８ｃ及び第二接触子８ｂに接続された左右の音響信号Ｌ及びＲは、夫々信号線１ｃ及び１ｂを介して５極プラグのコネクタ部９へ伝達される。第三接触子８ａに接続されたグラウンドＧは、例えば特性インピーダンス５０Ω又は７５Ω程度の同軸ケーブル１ａを介してコネクタ部９へ伝達される。同軸ケーブル１ａは、シールド線１１と芯線１２とを有している。詳細は後述するが、シールド線１１を介して音響信号の基準となるグラウンドＧを伝達し、芯線１２を介してアンテナ信号Ａを伝達する。
【００２５】
第一接触子８ｃに接続された左音響信号Ｌは、ジャック部８において直列接続されたインダクタＬ２を介して信号線１ｃに接続される。また、インダクタＬ２を経由した後、グラウンドＧ（シールド線１１）との間にコンデンサＣ１を並列に接続している。第二接触子８ｂに接続された右音響信号Ｒも同様に、インダクタＬ３を直列に、コンデンサＣ２を並列に接続して、信号線１ｂに接続される。第三接触子８ａに接続されたグラウンドＧは、直列に接続されたインダクタＬ１を介してシールド線１１に接続される。芯線１２は第三接触子８ａとコネクタ部９とを直接接続し、アンテナ信号Ａを伝達している。
【００２６】
インダクタＬ１は、おおよそ０〜２０ｋ（キロ）Ｈｚ程度の音響信号帯域で、３Ω以下のインピーダンスとなるような定数を選択されている。即ち、音響信号帯域において、スピーカ５のグラウンド側にバイアスをかけている。高周波数帯域であるアンテナ信号Ａに対しては、インダクタＬ１は高インピーダンスとなる。従って、アンテナ信号Ａが音響信号にノイズとなることを抑制すると共に、アンテナ信号Ａがグラウンドへ流れることによって減衰することを抑制している。
【００２７】
左右の音響信号Ｌ及びＲに対して設けられたインダクタＬ２及びＬ３、コンデンサＣ１及びＣ２についても、同様にアンテナ信号Ａ等の不要な電波が音響信号に重畳されることを抑制している。携帯電話３は、搬送波（バースト波）に変調された情報を載せて通信を行っている。この搬送波はＧ（ギガ）Ｈｚ帯の高周波数であり、Ｍ（メガ）Ｈｚ帯の放送電波と比べても高い周波数である。この搬送波も含めた不要な電波が音響信号に重畳され、音質を低下させることを抑制している。
【００２８】
一例としてインダクタＬ２及びＬ３は、１０ｎ（ナノ）〜３３０ｎＨ程度、コンデンサＣ１及びＣ２は、１０ｐ（ピコ）〜４７ｐＦ程度である。これらインダクタやコンデンサによって、高周波除去フィルタ（ローパスフィルタ）が構成されている。
【００２９】
イヤホン２によって受信された放送電波は、中継コード１のジャック部８において、音響信号と分離されている。具体的には、音響信号（Ｌ、Ｒ）に重畳された放送電波はジャック部８の高周波除去フィルタによって除去されており、グラウンドＧに重畳された放送電波が分離されている。ジャック部８の第三接触子８ａは、アンテナの給電点であり、本実施形態では、イヤホン２のグラウンド信号線がアンテナとして機能している。
【００３０】
ジャック部８からコネクタ部９へは、信号線１ｂ、信号線１ｃ、同軸ケーブル１ａのシールド線１１、同軸ケーブル１ａの芯線１２の４つの信号線によって、左右の音響信号Ｌ及びＲ、グラウンドＧ、アンテナ信号Ａの４つの信号が接続される。５極プラグのコネクタ部９は５つの端子を有しており、その内４つの端子に上記４つの信号を接続する。残る１つの端子にはグラウンドＧを接続する。これは、携帯電話３のイヤホンジャック７に対するプラグの挿抜を検出する端子として利用することができ、ここでは中央部の端子が使われる。
【００３１】
〔第二実施形態〕
図３は、図１の中継コード１を利用した携帯電話３とイヤホン２との電気的接続の第二実施形態を説明する配線図である。第一実施形態と同様に、音響信号は、左右夫々の音響信号とグラウンドとの電位差によって信号強度を表す不平衡方式で伝達される。また、同様に図中の信号線に示すＬ、Ｒ、Ｇ、Ａの符号は、夫々、左音響信号Ｌ、右音響信号Ｒ、グラウンドＧ、アンテナ信号Ａに対応する。
【００３２】
図３に示すように、イヤホン２の３極のイヤホンプラグ４の先端側の第一端子４ｃには左音響信号Ｌが接続されている。第一端子４ｃと絶縁リングを隔てて隣接する第二端子４ｂには右音響信号Ｒが接続されている。第二端子４ｂと絶縁リングを隔てて隣接する第三端子４ａには両音響信号に共通するグラウンドＧが接続されている。
【００３３】
イヤホン２の３極のイヤホンプラグ４は、中継コード１の３極の接触子を備えたジャック部８に嵌合され、上記左右の音響信号Ｌ及びＲと、グラウンドＧとを接続する。図３に示すように、イヤホンプラグ４の第一端子４ｃは開口したジャック部８の最も奥に配置された第一接触子８ｃに接続される。第二端子４ｂは第一接触子８ｃよりも開口部側に配置された第二接触子８ｂに接続される。第三端子４ａは、最も開口部側に配置された第三接触子８ａに接続される。
【００３４】
第一接触子８ｃ及び第二接触子８ｂに接続された左右の音響信号Ｌ及びＲは、夫々信号線１ｃ及び１ｂを介して５極プラグのコネクタ部９へ伝達される。第三接触子８ａに接続されたグラウンドＧは、左右の音響信号に対応して設けられた２本のグラウンド信号線１ａを介してコネクタ部９へ伝達される。第一実施形態と異なり、本実施形態では、ジャック部８には給電点を設けず、イヤホン２からコネクタ部９までの一連のコードを形成する。つまり、図３に示すように、左音響信号Ｌは５極プラグの第一端子９ａに、右音響信号Ｒは５極プラグの第二端子９ｂに、スピーカ５より直接接続される。
【００３５】
２本のグラウンドＧは、コネクタ部９において５極プラグの第三端子９ｃ及び第五端子９ｅに、インダクタＬ１２を介して接続される。これは、第一実施形態において説明したことと同様に、音響信号の周波数帯域においてグラウンドバイアスを与えるためである。つまり、インダクタＬ１２は、１００ｎＨ程度のインダクタンスを有し、低周波数帯域の音響信号帯域で低インピーダンスとなって、スピーカ５のグラウンド側にバイアスをかける。高周波数帯域である放送電波（アンテナ信号Ａ）に対しては、インダクタＬ１２は高インピーダンスとなる。従って、放送電波が音響信号にノイズとなることを抑制すると共に、受信した放送電波がグラウンドへ流れることによって減衰することを抑制している。
【００３６】
受信した放送電波のアンテナ信号Ａの接続について以下に説明する。図３に示すようにコネクタ部９において、左右の音響信号Ｌ及びＲと、これらに対応する２本のグラウンドＧとは、夫々コンデンサＣ１１、Ｃ１２、Ｃ１３、Ｃ１４を介して一点で結ばれている。そして、この一点と５極プラグの第四端子９ｄとはインダクタＬ１１を介して接続されている。コンデンサＣ１１、Ｃ１２、Ｃ１３、Ｃ１４は夫々、１０ｐＦ程度の静電容量であり、インダクタＬ１１は７ｎＨ程度（Ｅ１２系列の数値であれば６．８ｎＨ程度）のインダクタンスである。これら、コンデンサとインダクタによって、直列共振によるバンドパスフィルターを構成すると共に、アンテナ信号Ａの給電分岐回路を形成している。
【００３７】
このように給電分岐回路を携帯電話３に近い側、即ち中継コード１のコネクタ部９に備えたことにより、イヤホン２と中継コード１とを合わせた一連の信号線の全てをアンテナとして使用することができる。その結果、アンテナのエレメントを長く採ることが可能となり、低い周波数帯の放送電波の受信に際して利得が向上する。例えば、日本国においては、テレビ放送のＵＨＦ帯が４７０Ｍ〜７７０ＭＨｚ、Ｈ−ＶＨＦ帯が１７０Ｍ〜２２２ＭＨｚ、Ｌ−ＶＨＦ帯が９０Ｍ〜１０８ＭＨｚ、ラジオ放送のＦＭ帯が７６Ｍ〜９０ＭＨｚである。しかし、米国等ではこれらよりも低い５０ＭＨｚ程度の周波数にもテレビの放送がある。アンテナのエレメントを長くできることにより、このような放送に関してもアンテナ利得の向上を見込むことができる。
【００３８】
〔他の実施形態１〕
上記、第一実施形態及び第二実施形態の説明に際しては、携帯電話３のイヤホンジャック７と中継コード１のコネクタ部９とが、５極のジャック及びプラグによって接続される場合を例として説明した。しかし、極数はこれに限ることなく４極のジャック及びプラグによって接続されてもよい。図４は、図２に示す第一実施形態において携帯電話３と中継コード１とを４極ジャック及びプラグで接続した場合の例を示す配線図である。
【００３９】
図４に示すように、イヤホン２と中継コード１との接続は第一実施形態と同様である。即ち、イヤホン２の３極のイヤホンプラグ４の夫々の端子４ｃ、４ｂ、４ａには、左音響信号Ｌ、右音響信号Ｒ、両音響信号に共通するグラウンドＧが接続されている。イヤホンプラグ４は、中継コード１の３極の接触子を備えたジャック部８に嵌合され、上記左右の音響信号Ｌ及びＲと、グラウンドＧとを接続する。
【００４０】
そして、左右の音響信号Ｌ及びＲは、夫々信号線１ｃ及び１ｂを介して４極プラグのコネクタ部９へ伝達される。グラウンドＧは、例えば特性インピーダンス５０Ω又は７５Ω程度の同軸ケーブル１ａを介してコネクタ部９へ伝達される。同軸ケーブル１ａは、シールド線１１と芯線１２とを有している。シールド線１１を介して音響信号の基準となるグラウンドＧを伝達し、芯線１２を介してアンテナ信号Ａを伝達する。
【００４１】
左音響信号Ｌは、ジャック部８において直列接続されたインダクタＬ２を介して信号線１ｃに接続される。また、インダクタＬ２を経由した後、グラウンドＧ（シールド線１１）との間にコンデンサＣ１を並列に接続している。右音響信号Ｒも同様に、インダクタＬ３を直列に、コンデンサＣ２を並列に接続して、信号線１ｂに接続される。グラウンドＧは、直列に接続されたインダクタＬ１を介してシールド線１１に接続される。芯線１２はジャック部８の接触子（第三接触子）８ａとコネクタ部９とを直接接続し、アンテナ信号Ａを伝達している。インダクタ及びコンデンサの作用等については、上述した第一実施形態と同様であるので説明を省略する。
【００４２】
ジャック部８からコネクタ部９へは、信号線１ｂ、信号線１ｃ、同軸ケーブル１ａのシールド線１１、同軸ケーブル１ａの芯線１２の４つの信号線によって、左右の音響信号Ｌ及びＲ、グラウンドＧ、アンテナ信号Ａの４つの信号が接続される。４極プラグのコネクタ部９は４つの端子を有しており、上記４つの信号が夫々接続される。
【００４３】
本実施形態では、以上説明したように携帯電話３と中継コード１とイヤホン２とが接続され、第一実施形態と同様に、イヤホン２のグラウンド信号線がアンテナとして機能している。即ち、イヤホン２によって受信された放送電波は、中継コード１のジャック部８において、音響信号と分離され、ジャック部８の第三接触子８ａが、アンテナの給電点となっている。
【００４４】
〔他の実施形態２〕
第二実施形態では、イヤホン２と中継コード１とが有する信号線（音響信号とその基準となるグラウンドとを指す。）の連続したアンテナとした。また、左右の音響信号に対応するグラウンドを共通とする不平衡方式の音響信号を例として扱った。しかし、本実施形態に係る技術思想、即ちイヤホン２と中継コード１との一連の信号線をアンテナとして利用する技術思想、を実施する形態は不平衡方式には限定されない。左右夫々の音響信号がプラスとマイナスとの２本の信号線を有し、イヤホン２が４極のイヤホンプラグ４を備える平衡方式の音響信号であってもこの技術思想を実施できる。
【００４５】
第二実施形態の接続形態に倣い、スピーカ５からコネクタ部９までの信号線が中継コード１を介して、一連の信号線となるようにする。コネクタ部９には図３に示したように給電分岐回路を設ける。即ち、イヤホン２と中継コード１と携帯電話３（音響出力機器）とを接続すると共に、中継コード１のコネクタ部９に給電分岐回路を設け、スピーカ部５からコネクタ部９へ連続した各信号線をアンテナとして機能させて放送電波を受信するイヤホンアンテナを構成する。尚、このような配線に伴い、中継コード１と形態電話３とを接続するジャック及びプラグに関しても、第二実施形態とは異なった極数や接続となる。しかし、他の実施形態１においても説明したように、ジャックやプラグの極数や、その接続の端子番号の違いによって、本技術思想が実施できない訳ではないことは明らかであるので、図示は省略する。
【００４６】
〔他の実施形態３〕
イヤホン２と中継コード１との一連の信号線をアンテナとして利用する技術思想を実施する形態（第二実施形態等）のさらに別の実施形態について、下記に説明する。第二実施形態では、中継コード１のコネクタ部９に給電分岐回路を備えた。この給電分岐回路を中継コード１ではなく、携帯電話３側に備えても同様のことが可能である。図４は、図３に示す第二実施形態において携帯電話に給電分岐回路を備えた場合の例を示す配線図である。尚、図４において、携帯電話３と中継コード１とは、図３と異なり４極で接続されているが、既に説明したように、本発明の技術思想は、接続の極数には左右されない。
【００４７】
以上、本発明の好適な実施形態より明らかなように、本発明によってコードの一部又は全てをテレビやラジオ等の放送電波を受信するアンテナ線として良好に機能させることができる。また、スピーカを備えたイヤホンを任意に交換しても、アンテナとしての機能を損なわせることがない。従って、イヤホンを装着する使用者は装着感が好ましくない場合に、我慢して使いつづけることなく、イヤホンを別のものに交換することができる。その結果、使用者に違和感無く装着可能なイヤホンアンテナを提供することができる。
【産業上の利用可能性】
【００４８】
本発明は、一方の端部にコネクタ部を、他方の端部にスピーカを備え、両端部を接続するコードの一部又は全てをテレビやラジオ等の電波信号を受信するアンテナ線として機能させるイヤホンアンテナに適用することができる。尚、テレビやラジオの電波信号を受信する音響出力機器としては、携帯電話やパーソナルコンピュータ（特に、携帯できるノートブック型のもの）、携帯情報端末（ＰＤＡ）等に適用できる。
【図面の簡単な説明】
【００４９】
【図１】本発明の実施形態に係るイヤホンアンテナを利用した携帯電話システムの一例を示す概略構成図
【図２】図１の中継コードを利用した携帯電話とイヤホンとの電気的接続の第一実施形態を説明する配線図
【図３】図１の中継コードを利用した携帯電話とイヤホンとの電気的接続の第二実施形態を説明する配線図
【図４】図２に示す第一実施形態において携帯電話と中継コードとを４極ジャック及びプラグで接続した場合の例を示す配線図
【図５】図３に示す第二実施形態において携帯電話に給電分岐回路を備えた場合の例を示す配線図
【符号の説明】
【００５０】
１        中継コード
２        イヤホン
３        携帯電話（チューナを備えた音響出力機器）
４        イヤホンプラグ
５        スピーカ
６        イヤホンコード
７        イヤホンジャック
８        ジャック部
９        コネクタ部
【図１】
2006222892.tif 000003
【図２】
2006222892.tif 000004
【図３】
2006222892.tif 000005
【図４】
2006222892.tif 000006
【図５】
2006222892.tif 000007